(57)【要約】      （修正有）【課題】自転車識別情報を用いて自転車を管理するシステムを提供する。【解決手段】駐輪場端末２００と自転車管理装置３００とが回線を介して接続され、駐輪場端末２００は、自転車識別媒体から自転車識別情報を読み取る自転車識別情報読み取り手段と、自転車識別情報と、駐輪場端末の配置場所を特定するための配置場所特定情報とを関連付けた駐輪情報を自転車管理装置へ送信する手段とを備える。自転車管理装置３００は、駐輪場端末２００から受信された駐輪情報に含まれる自転車識別情報に基づいて、自転車の駐輪可能場所を特定する駐輪可能場所特定手段と、駐輪情報に含まれる配置場所特定情報に基づいて駐輪場端末の配置場所を特定する配置場所特定手段と、を備える。駐輪可能場所特定手段によって特定された駐輪可能場所と配置場所特定手段によって特定された配置場所とが一致する場合には、自転車は、駐輪可能な場所に駐輪していると判定する。【選択図】図１
2015018546.tif 000002
【特許請求の範囲】
【請求項１】
自転車に貼付され、自転車を一意に識別するための自転車識別情報が記録された自転車識別媒体から前記自転車識別情報を読み取る駐輪場端末と、前記駐輪場端末から前記自転車識別情報を受信して自転車を管理する自転車管理装置とが通信回線を介して接続された自転車管理システムであって、
前記駐輪場端末は、
前記自転車識別媒体から前記自転車識別情報を読み取る自転車識別情報読み取り手段と、
前記自転車識別情報読み取り手段で読み取った前記自転車識別情報と、前記駐輪場端末の配置場所を特定するための配置場所特定情報とを関連付けた駐輪情報を前記自転車管理装置へ送信する駐輪情報送信手段とを備え、
前記自転車管理装置は、
前記駐輪場端末から前記駐輪情報を受信する駐輪情報受信手段と、
前記駐輪情報受信手段によって受信された前記駐輪情報に含まれる前記自転車識別情報に基づいて、前記自転車の駐輪可能場所を特定する駐輪可能場所特定手段と、
前記駐輪情報に含まれる前記配置場所特定情報に基づいて前記駐輪場端末の配置場所を特定する配置場所特定手段と、
前記駐輪可能場所特定手段によって特定された前記駐輪可能場所と前記配置場所特定手段によって特定された前記配置場所とが一致する場合には、前記自転車は駐輪可能な場所に駐輪していると判定し、前記駐輪可能場所特定手段によって特定された前記駐輪可能場所と前記配置場所特定手段によって特定された前記配置場所とが一致しない場合には、前記自転車は駐輪可能な場所とは異なる場所に駐輪していると判定する駐輪場所判定手段とを備えることを特徴とする自転車管理システム。
【請求項２】
請求項１に記載の自転車管理システムにおいて、
前記自転車管理装置では、記録装置に、前記自転車識別情報と、その自転車識別情報によって特定される自転車の駐輪可能場所を特定するための駐輪可能場所情報とが関連付けて記録されており、
駐輪可能場所特定手段は、前記駐輪情報受信手段によって受信された前記駐輪情報に含まれる前記自転車識別情報に関連付けられている前記駐輪可能場所情報を読み出して前記自転車の駐輪可能場所を特定することを特徴とする自転車管理システム。
【請求項３】
請求項１または２に記載の自転車管理システムにおいて、
前記自転車管理装置は、
自転車を所有するユーザからの駐輪場の利用申請を受け付ける利用申請受付手段と、
前記利用申請受付手段によって利用申請を受け付けたときに、利用申請を受け付けたユーザが所有する自転車に対して、前記自転車識別情報を割り当てる自転車識別情報割り当て手段と、
ユーザ登録時にユーザによって指定された駐輪場所に配置されている前記駐輪場端末へ前記自転車識別情報割り当て手段によって割り当てられた前記自転車識別情報を送信することにより前記自転車識別情報を発行する自転車識別情報発行手段とをさらに備えることを特徴とする自転車管理システム。
【請求項４】
請求項３に記載の自転車管理システムにおいて、
前記駐輪場端末は、
前記自転車管理装置で発行された前記自転車識別情報を受信する自転車識別情報受信手段と、
前記自転車識別情報受信手段によって受信された前記自転車識別情報を前記自転車識別媒体に送信して書き込みを行う自転車識別情報書き込み手段とをさらに備えることを特徴とする自転車管理システム。
【請求項５】
自転車に貼付され、自転車を一意に識別するための自転車識別情報が記録された自転車識別媒体から前記自転車識別情報を読み取る駐輪場端末と、前記駐輪場端末から前記自転車識別情報を受信して自転車を管理する自転車管理装置とが通信回線を介して接続された自転車管理システムであって、
前記駐輪場端末は、
前記自転車識別媒体から前記自転車識別情報を読み取る自転車識別情報読み取り手段と、
前記自転車識別情報読み取り手段で読み取った前記自転車識別情報を前記自転車管理装置へ送信する自転車識別情報送信手段とを備え、
前記自転車管理装置は、
前記駐輪場端末から受信した前記自転車識別情報に基づいて、前記自転車の駐輪可能場所を特定する駐輪可能場所特定手段と、
前記駐輪可能場所特定手段によって特定された前記駐輪可能場所と前記駐輪場端末の配置場所とが一致する場合には、前記自転車は駐輪可能な場所に駐輪していると判定し、前記駐輪可能場所特定手段によって特定された前記駐輪可能場所と前記駐輪場端末の配置場所とが一致しない場合には、前記自転車は駐輪可能な場所とは異なる場所に駐輪していると判定する駐輪場所判定手段とを備えることを特徴とする自転車管理システム。
【請求項６】
請求項５に記載の自転車管理システムにおいて、
前記駐輪場端末は、
新規に発行する前記自転車識別媒体から、前記自転車識別媒体の個体識別に用いられるユニークＩＤを読み取るユニークＩＤ読み取り手段と、
前記ユニークＩＤ読み取り手段によって読み取られた前記ユニークＩＤを前記自転車管理装置へ送信するユニークＩＤ送信手段をさらに備え、
前記自転車管理装置は、
前記駐輪場端末から前記ユニークＩＤを受信するユニークＩＤ受信手段と、
前記ユニークＩＤ受信手段によって受信された前記ユニークＩＤを前記自転車識別情報として特定する自転車識別情報特定手段とをさらに備えることを特徴とする自転車管理システム。
【請求項７】
請求項１〜６のいずれか一項に記載の自転車管理システムにおいて、
前記自転車管理装置は、
前記駐輪場所判定手段によって、前記自転車は駐輪可能な場所とは異なる場所に駐輪していると判定された場合には、前記自転車は駐輪可能な場所とは異なる場所に駐輪していることを通知するための情報を前記駐輪場端末へ送信する第一の駐輪場所通知手段をさらに備えることを特徴とする自転車管理システム。
【請求項８】
請求項１〜７のいずれか一項に記載の自転車管理システムにおいて、
前記自転車管理装置は、
前記駐輪場所判定手段によって、前記自転車は駐輪可能な場所とは異なる場所に駐輪していると判定された場合には、前記自転車は駐輪可能な場所とは異なる場所に駐輪していることを通知するための情報を、あらかじめ登録された前記自転車識別情報によって特定される自転車の所有者へ通知する第二の駐輪場所通知手段をさらに備えることを特徴とする自転車管理システム。
【請求項９】
請求項１〜８のいずれか一項に記載の自転車管理システムにおいて、
前記自転車管理装置は、
各自転車識別情報によって特定される自転車の前記駐輪可能場所への駐輪可能期限を特定する駐輪可能期限特定手段と、
前記駐輪可能期限特定手段によって特定された前記駐輪可能期限まで所定日数未満である場合に、あらかじめ登録された通知先へ通知する駐輪可能期限通知手段とをさらに備えることを特徴とする自転車管理システム。
【請求項１０】
請求項１〜９のいずれか一項に記載の自転車管理システムにおいて、
前記自転車識別媒体は、接着シートと、防磁シートと、ＩＣタグと、カバー部材とがこれらの順で積層されて薄板状に構成されることを特徴とする自転車管理システム。
【請求項１１】
請求項１０に記載の自転車管理システムにおいて、
前記自転車識別媒体は、前記接着シートにより前記自転車に貼付されることを特徴とする自転車管理システム。
【請求項１２】
請求項１〜１１のいずれかに記載の自転車管理装置。
【請求項１３】
請求項１〜１１のいずれかに記載の駐輪場端末。
【発明の詳細な説明】
【技術分野】
【０００１】
本発明は、自転車管理システム、自転車管理装置、および駐輪場端末に関する。
【背景技術】
【０００２】
次のような自転車管理システムが知られている。この自転車管理システムでは、無線タグＩＣ装置を取り付けた自転車が駐輪する駐輪場所に、送受信アンテナ等とからネットワークを構成し、このネットワークに監視サーバを接続する。そして、監視サーバは、所定のタイミングで送受信アンテナおよびネットワークを介して自転車の無線ＩＣタグ装置からデータを読み取って保存し、当該自転車の駐輪場所における駐輪状況を管理する（例えば、特許文献１）。
【先行技術文献】
【特許文献】
【０００３】
【特許文献１】特開２００７−２５７０９０号公報
【発明の概要】
【発明が解決しようとする課題】
【０００４】
しかしながら、従来の自転車管理システムでは、無線ＩＣタグ装置を自転車のフレームの内側に固定して搭載しておき、駐輪場内に設置された送受信アンテナと、駐輪場所に駐輪された自転車の無線ＩＣタグ装置とが通信を行い、情報を監視サーバへ送信することにより自転車の駐輪場所における駐輪状況を管理する必要がある。このため、駐輪場内の全ての駐輪場所を網羅する形で送受信アンテナを複数設置する必要があり、駐輪場への導入コストが高くなる可能性があった。
【課題を解決するための手段】
【０００５】
本発明による自転車管理システムは、自転車に貼付され、自転車を一意に識別するための自転車識別情報が記録された自転車識別媒体から自転車識別情報を読み取る駐輪場端末と、駐輪場端末から自転車識別情報を受信して自転車を管理する自転車管理装置とが通信回線を介して接続され、駐輪場端末は、自転車識別媒体から自転車識別情報を読み取る自転車識別情報読み取り手段と、自転車識別情報読み取り手段で読み取った自転車識別情報と、駐輪場端末の配置場所を特定するための配置場所特定情報とを関連付けた駐輪情報を自転車管理装置へ送信する駐輪情報送信手段とを備え、自転車管理装置は、駐輪場端末から駐輪情報を受信する駐輪情報受信手段と、駐輪情報受信手段によって受信された駐輪情報に含まれる自転車識別情報に基づいて、自転車の駐輪可能場所を特定する駐輪可能場所特定手段と、駐輪情報に含まれる配置場所特定情報に基づいて駐輪場端末の配置場所を特定する配置場所特定手段と、駐輪可能場所特定手段によって特定された駐輪可能場所と配置場所特定手段によって特定された配置場所とが一致する場合には、自転車は駐輪可能な場所に駐輪していると判定し、駐輪可能場所特定手段によって特定された駐輪可能場所と配置場所特定手段によって特定された配置場所とが一致しない場合には、自転車は駐輪可能な場所とは異なる場所に駐輪していると判定する駐輪場所判定手段とを備えることを特徴とする。
本発明による自転車管理システムはまた、自転車に貼付され、自転車を一意に識別するための自転車識別情報が記録された自転車識別媒体から自転車識別情報を読み取る駐輪場端末と、駐輪場端末から自転車識別情報を受信して自転車を管理する自転車管理装置とが通信回線を介して接続された自転車管理システムであって、駐輪場端末は、自転車識別媒体から自転車識別情報を読み取る自転車識別情報読み取り手段と、自転車識別情報読み取り手段で読み取った自転車識別情報を自転車管理装置へ送信する自転車識別情報送信手段とを備え、自転車管理装置は、駐輪場端末から受信した自転車識別情報に基づいて、自転車の駐輪可能場所を特定する駐輪可能場所特定手段と、駐輪可能場所特定手段によって特定された駐輪可能場所と駐輪場端末の配置場所とが一致する場合には、自転車は駐輪可能な場所に駐輪していると判定し、駐輪可能場所特定手段によって特定された駐輪可能場所と駐輪場端末の配置場所とが一致しない場合には、自転車は駐輪可能な場所とは異なる場所に駐輪していると判定する駐輪場所判定手段とを備えることを特徴とする。
本発明による自転車管理装置は、上記に記載の自転車管理装置である。
本発明による駐輪場端末は、上記に記載の駐輪場端末である。
【発明の効果】
【０００６】
本発明によれば、自転車識別情報を駐輪場端末を用いて読み取るようにしたので、駐輪場内の全ての駐輪場所を網羅する形で送受信アンテナを設置する必要がなく、システムの導入コストを抑えることができる。
【図面の簡単な説明】
【０００７】
【図１】自転車管理システム１００の一実施の形態の構成を示すブロック図である。
【図２】駐輪場端末２００の一実施の形態の構成を示すブロック図である。
【図３】自転車管理シールの構造例を模式的に示した図である。
【図４】自転車管理装置３００の一実施の形態の構成を示すブロック図である。
【図５】ユーザ端末４００の一実施の形態の構成を示すブロック図である。
【図６】第１の実施の形態におけるユーザ端末４００で実行される会員登録処理の流れを示すフローチャート図である。
【図７】第１の実施の形態におけるユーザ端末４００で実行される利用申請処理の流れを示すフローチャート図である。
【図８】第１の実施の形態における自転車管理装置３００で実行される処理の流れを示すフローチャート図である。
【図９】第１の実施の形態における駐輪場端末２００で実行される処理の流れを示すフローチャート図である。
【図１０】第２の実施の形態におけるユーザ端末４００で実行される利用申請処理の流れを示すフローチャート図である。
【図１１】第２の実施の形態における自転車管理装置３００で実行される処理の流れを示すフローチャート図である。
【図１２】第２の実施の形態における駐輪場端末２００で実行される処理の流れを示すフローチャート図である。
【発明を実施するための形態】
【０００８】
―第１の実施の形態―
図１は、本実施の形態における自転車管理システムの一実施の形態の構成を示すブロック図である。自転車管理システム１００は、駐輪場端末２００と、自転車管理装置３００と、ユーザ端末４００とで構成される。
【０００９】
駐輪場端末２００は、各駐輪場に配置される端末であって、例えばタブレット端末のような情報端末が用いられる。自転車管理装置３００は、駐輪場端末２００やユーザ端末４００と通信を行って自転車を管理するための装置であって、例えば、サーバ装置やパソコン等の情報処理装置が用いられる。ユーザ端末４００は、自転車管理システム１００を利用するユーザが所持する端末であって、例えばスマートフォン、タブレット端末、ＰＤＡ、パソコン等の情報端末が用いられる。
【００１０】
本実施の形態では、自転車管理装置３００と駐輪場端末２００及びユーザ端末４００とは、例えばインターネットや携帯電話網等の通信回線を介して接続される。なお、図１では、駐輪場端末２００、自転車管理装置３００、ユーザ端末４００は、それぞれ１台ずつで構成される例を示しているが自転車管理システム１００の構成はこれに限定されない。例えば、複数の自転車管理装置３００で処理を分散させるようにしてもよい。また、駐輪場端末２００の数やユーザ端末４００の数は特に限定されるものではない。
【００１１】
図２は、本実施の形態における駐輪場端末２００としてタブレット端末を用いた場合の一実施の形態の構成を示すブロック図である。本実施の形態では、タブレット端末に、自転車に貼付された自転車識別媒体から自転車識別情報を読み取る機能、および自転車管理装置３００と通信を行う機能を備えた自転車管理アプリケーションをインストールすることにより、本実施の形態における駐輪場端末２００として動作する。
【００１２】
なお、自転車管理アプリケーションのプログラムは、インターネットを介して接続されたサーバ上で公開されることにより提供され、自転車管理システム１００の提供者や駐輪場の管理者がこれをダウンロードにより入手し、駐輪場端末２００にあらかじめインストールされているものとする。あるいは、自転車管理アプリケーションのプログラムは、ＣＤ−ＲＯＭやＤＶＤ−ＲＯＭ等の記録媒体に記録されて提供されるようにしてもよい。
【００１３】
駐輪場端末２００は、タッチパネル２０１と、ＩＣリーダ・ライタ２０２と、通信モジュール２０３と、制御装置２０４とを備えている。
【００１４】
タッチパネル２０１は、液晶パネル等の表示装置とタッチパッドのような位置入力装置を組み合わせた電子部品であり、画面上の表示を押すことで機器を操作することができる入力装置である。例えば、駐輪場端末２００の使用者は、液晶パネル上に表示されたボタンやメニュー等の表示項目を指やタッチペンを用いてタッチまたはスライドさせることにより、駐輪場端末２００を操作することができる。タッチパネル２０１は、使用者によるタッチやスライドといった操作を検出して、その検出信号を制御装置２０４へ出力する。
【００１５】
ＩＣリーダ・ライタ２０２は、管理対象とする自転車のそれぞれ貼付された自転車識別媒体に、自転車を一意に識別するための自転車識別情報を書き込んだり、自転車識別媒体に記録された自転車識別情報を読み取るための装置である。自転車識別媒体としては、例えば、図３に示すように、接着シートＡと、防磁シートＢと、ＩＣチップＣと、カバー部材Ｄとが積層されて薄板状に構成された自転車管理シールＥが用いられる。この自転車管理シールＥは、接着シートＡにより自転車に貼付される。本実施の形態では、ＩＣチップＣを防磁シートＢとカバー部材Ｄとで挟むように構成したため、ＩＣチップＣが金属等による影響を受けて磁気障害を起こすことを防ぐことができる。なお、図３では、各部材を見やすく表示するために、各部材の間に空間を設けて図示しているが、実際には、これらは接触して積層されることにより、自転車管理シールＥ全体は薄板状に構成される。
【００１６】
自転車管理システム１００での管理対象とする自転車のそれぞれには、読み取りやすい位置、例えば、後輪の泥除けの外側部分にこの自転車管理シールＥが貼付されており、駐輪の管理者が駐輪場端末２００を自転車管理シールＥに接近させると、ＩＣリーダ・ライタ２０２と自転車管理シールＥに内蔵されたＩＣチップＣとが通信を開始することにより、ＩＣチップＣに情報を書き込んだり、ＩＣチップＣから情報を読み出したりすることができる。なお、ＩＣリーダ・ライタ２０２を用いたＩＣチップＣへの情報の書き込み方法、および情報の読み出し方法については、公知の技術のため、ここでの説明は省略する。
【００１７】
通信モジュール２０３は、無線または有線により、ＬＡＮや携帯電話通信網を介してインターネットに接続するためのモジュールが用いられる。駐輪場端末２００は、この通信モジュール２０３を介して自転車管理装置３００と通信を行う。
【００１８】
制御装置２０４は、ＣＰＵ、メモリ、およびその他の周辺回路によって構成され、駐輪場端末２００の全体を制御する。なお、制御装置２０４を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、駐輪場端末２００を動作させるためのファームウェアや種々のアプリケーションを動作させるためのソフトウェアのプログラムデータが記録される。本実施の形態では、この不揮発性のメモリに、上述した自転車管理アプリケーションのプログラムが記録されている。
【００１９】
図４は、本実施の形態における自転車管理装置３００としてサーバ装置を用いた場合の一実施の形態の構成を示すブロック図である。自転車管理装置３００は、操作部材３０１と、接続ＩＦ（インターフェース）３０２と、制御装置３０３と、記録装置３０４とを備えている。
【００２０】
操作部材３０１は、自転車管理装置３００の操作者によって操作される種々の装置、例えばキーボードやマウスを含む。
【００２１】
接続ＩＦ３０２は、自転車管理装置３００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、自転車管理装置３００は、この接続ＩＦ３０２を介して駐輪場端末２００やユーザ端末４００と通信を行う。
【００２２】
制御装置３０３は、ＣＰＵ、メモリ、およびその他の周辺回路によって構成され、自転車管理装置３００の全体を制御する。なお、制御装置３０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続ＩＦ３０２を介して読み込まれたデータは、バッファメモリに一時的に記録される。
【００２３】
記録装置３０４は、自転車管理装置３００が蓄える種々のデータや、制御装置３０３が実行するためのプログラムのデータ等を記録するための記録装置であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記録装置３０４に記録されるプログラムのデータは、ＣＤ−ＲＯＭやＤＶＤ−ＲＯＭなどの記録媒体に記録されて提供されたり、ネットワークを介して提供され、使用者が取得したプログラムのデータを記録装置３０４にインストールすることによって、制御装置３０３がプログラムを実行できるようになる。
【００２４】
図５は、本実施の形態におけるユーザ端末４００としてスマートフォンを用いた場合の一実施の形態の構成を示すブロック図である。
【００２５】
ユーザ端末４００は、タッチパネル４０１と、通信モジュール４０２と、マイク４０３と、制御装置４０４と、スピーカー４０５とを備えている。
【００２６】
タッチパネル４０１は、液晶パネル等の表示装置とタッチパッドのような位置入力装置を組み合わせた電子部品であり、画面上の表示を押すことで機器を操作することができる入力装置である。例えば、ユーザ端末４００のユーザは、液晶パネル上に表示されたボタンやメニュー等の表示項目を指やタッチペンを用いてタッチまたはスライドさせることにより、ユーザ端末４００を操作することができる。タッチパネル４０１は、ユーザによるタッチやスライドといった操作を検出して、その検出信号を制御装置４０４へ出力する。
【００２７】
通信モジュール４０２は、無線または有線により、ＬＡＮや携帯電話通信網を介してインターネットに接続するためのモジュールが用いられる。本実施の形態では、ユーザ端末４００は、通信モジュール４０２を介して自転車管理装置３００と通信を行う。
【００２８】
マイク４０３は、ユーザによる発話音声を入力するための集音装置である。マイク４０３から入力されたアナログデータは、制御装置４０４でデジタル信号に変換される。また、スピーカー４０５は、音声を出力するための出力装置である。
【００２９】
制御装置４０４は、ＣＰＵ、メモリ、およびその他の周辺回路によって構成され、ユーザ端末４００の全体を制御する。なお、制御装置４０４を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、ユーザ端末４００を動作させるためのファームウェアや種々のアプリケーションを動作させるためのソフトウェアのプログラムデータが記録される。
【００３０】
以下、自転車管理システム１００における処理の詳細について説明する。本実施の形態における自転車管理システム１００では、自転車管理システム１００の利用を希望するユーザは、ユーザ端末４００を操作して会員登録を行う。例えば、ユーザは、ユーザ端末４００から駐輪場の会員登録を行うためのサイトにアクセスし、タッチパネル４０１上に表示される会員登録画面上で、氏名、住所等の必要事項を入力することによって会員登録を行う。制御装置４０４は、ユーザによって会員登録画面上で入力された情報を会員登録情報として自転車管理装置３００へ送信する。
【００３１】
自転車管理装置３００では、制御装置３０３は、ユーザ端末４００から会員登録情報を受信すると、会員を一意に識別するための会員ＩＤを発行し、該会員ＩＤと会員登録情報とを関連付けた会員情報を記録装置３０４に記録する。制御装置３０３は、発行した会員ＩＤをユーザ端末４００へ送信して、ユーザに通知する。
【００３２】
ユーザは、会員登録を行った後に、駐輪場の利用申請を行うことができる。例えば、ユーザは、ユーザ端末４００を操作して駐輪場の利用申請を行うためのサイトにアクセスし、タッチパネル４０１上に表示される利用申請画面上で、自身の会員ＩＤ、利用を希望する駐輪場、利用開始日、利用終了日、駐輪場利用のための料金プラン等を指定することができる。
【００３３】
ユーザは、利用を希望する駐輪場を指定する際には、例えば、地名や駅名等を入力して、入力された地名や駅名近傍にある駐輪場を検索し、検索結果から選べるようにしてもよい。あるいは、タッチパネル４０１上に地図を表示し、地図上で利用を希望する駐輪場を選択できるようにしてもよい。制御装置４０４は、ユーザによって利用申請画面上で入力された情報を利用申請情報として自転車管理装置３００へ送信する。
【００３４】
なお、本実施の形態では、自転車管理システム１００を利用して利用申請が可能な駐輪場の駐輪場情報は、あらかじめ自転車管理装置３００に登録されており、制御装置４０４は、ユーザから上述した検索指示や地図上への表示指示を受け付けた場合には、駐輪場情報を自転車管理装置３００から受信して処理を行う。駐輪場情報としては、例えば、駐輪場を一意に識別するための駐輪場ＩＤと、駐輪場名、住所、電話番号、利用開始時刻、利用終了時刻等の詳細情報とが関連付けられて記録装置３０４に記録されている。
【００３５】
自転車管理装置３００では、制御装置３０３は、ユーザ端末４００から利用申請情報を受信すると、駐輪場を利用する自転車を一意に特定するための利用ＩＤを発行し、該利用ＩＤと利用申請情報とを関連付けた利用情報を記録装置３０４に記録する。
【００３６】
駐輪場の利用申請を行ったユーザは、利用申請時に指定した駐輪場で、駐輪対象の自転車に貼付する自転車管理シールＥを受け取ることができ、これを自転車に貼付することにより、駐輪場を利用することができる。このために、各駐輪場では、利用申請を行ったユーザに対して自転車管理シールＥを発行するために、駐輪場端末２００を用いて以下の操作が行われる。
【００３７】
駐輪場のスタッフは、駐輪場端末２００上で自転車管理アプリケーションを起動し、自転車管理システム１００にログインする。具体的には、駐輪場のスタッフは、自転車管理アプリケーションのログイン画面上で、あらかじめ発行されているログインＩＤとパスワードを入力する。駐輪場端末２００の制御装置２０４は、入力されたログインＩＤとパスワードとを関連付けたログイン情報を自転車管理装置３００へ送信する。
【００３８】
自転車管理装置３００の記録装置３０４には、各駐輪場に配置されている駐輪場端末２００ごとに発行したログインＩＤとパスワードとが関連付けて記録されている。制御装置３０３は、駐輪場端末２００からログイン情報を受信した場合には、ログイン情報に含まれるログインＩＤとパスワードと、記録装置３０４に記録されているログインＩＤとパスワードとを用いた認証を行う。制御装置３０３は、記録装置３０４に、ログイン情報に含まれるログインＩＤとパスワードと同じログインＩＤとパスワードの組が記録されていれば、認証ＯＫとして、駐輪場端末２００のログインを許可する。制御装置３０３は、ログインを許可した場合には、ログイン許可を示す信号を駐輪場端末２００へ送信する。
【００３９】
駐輪場端末２００では、制御装置２０４は、自転車管理装置３００からログイン許可を示す信号を受信した場合には、駐輪場のスタッフによる自転車管理アプリケーションを介した自転車管理システム１００の利用を許可する。
【００４０】
自転車管理装置３００の制御装置３０３は、駐輪場端末２００のログインを許可したときに、その駐輪場端末２００が配置されている駐輪場を対象として新たに発行した利用ＩＤがある場合には、その利用ＩＤと会員ＩＤとを関連付けた新規発行利用ＩＤ情報を駐輪場端末２００へ送信する。駐輪場端末２００では、制御装置２０４は、自転車管理装置３００から新規発行利用ＩＤ情報を受信した場合には、タッチパネル２０１上にその旨を表示してスタッフに通知するとともに、受信した新規発行利用ＩＤ情報をフラッシュメモリに記録する。
【００４１】
各駐輪場には、ＩＣチップＣに情報が記録されていない未発行の自転車管理シールＥが用意されており、駐輪場のスタッフは、駐輪場端末２００と未発行の自転車管理シールＥとを近づけて、ＩＣチップＣへの利用ＩＤの書き込みを指示することができる。制御装置２０４は、ＩＣチップＣへの利用ＩＤの書き込みが指示されると、ＩＣリーダ・ライタ２０２を介して、フラッシュメモリに記録された新規発行利用ＩＤ情報に含まれる利用ＩＤを未発行の自転車管理シールＥのＩＣチップＣに書き込む。
【００４２】
駐輪場のスタッフは、そのユーザの会員ＩＤに対応する利用ＩＤが書き込まれた自転車管理シールＥをユーザが持ち込んだ自転車に貼付する。これによって、ユーザは自転車管理シールＥが貼られた自転車を利用申請を行った駐輪場に駐輪することが可能となる。
【００４３】
駐輪場のスタッフは、定期的に駐輪場内を回って、駐輪場端末２００で駐輪中の自転車に貼られた自転車管理シールＥ内の情報を読み取る。駐輪場端末２００の制御装置２０４は、自転車管理シールＥ内のＩＣチップＣからＩＣリーダ・ライタ２０２を介して読み取った利用ＩＤに、あらかじめフラッシュメモリに記録されている、駐輪場端末２００が配置されている駐輪場の駐輪場ＩＤを関連付けた駐輪情報を自転車管理装置３００へ送信する。
【００４４】
自転車管理装置３００では、制御装置３０３は、記録装置３０４に記録されている利用情報に基づいて、駐輪場端末２００から受信した駐輪情報に含まれる利用ＩＤに関連付けて記録されている駐輪場ＩＤを特定することにより、該利用ＩＤにより特定される自転車の駐輪可能場所を特定する。そして、制御装置３０３は、特定した駐輪場ＩＤと、駐輪場端末２００から受信した駐輪情報に含まれる駐輪場ＩＤとが一致するか否かを判断することにより、利用ＩＤにより特定される自転車が利用申請に基づく駐輪可能な駐輪場に駐輪されているか否かを判定する。具体的には、制御装置３０３は、両駐輪場ＩＤが一致する場合には、自転車は駐輪可能な場所に駐輪していると判定し、両駐輪場ＩＤが一致しない場合には、自転車は駐輪可能な場所とは異なる場所に駐輪していると判定する。
【００４５】
制御装置３０３は、上記判定処理によって、自転車が駐輪可能な場所とは異なる場所に駐輪していると判定した場合には、自転車が駐輪可能な場所とは異なる場所に駐輪されていることを通知するための警告情報を駐輪場端末２００へ送信する。
【００４６】
駐輪場端末２００では、制御装置２０４は、自転車管理装置３００から警告情報を受信した場合には、タッチパネル２０１上に警告画面を表示して駐輪場のスタッフに通知する。
【００４７】
図６は、第１の実施の形態におけるユーザ端末４００で実行される会員登録処理の流れを示すフローチャート図である。図６に示す処理は、上述したようにユーザによって駐輪場の会員登録を行うためのサイトへのアクセスが指示されることにより、会員登録の開始が指示されると起動するプログラムとして、制御装置４０４によって実行される。
【００４８】
ステップＳ１０において、制御装置４０４は、タッチパネル４０１上に不図示の会員登録画面を表示する。その後、ステップＳ２０へ進む。
【００４９】
ステップＳ２０では、制御装置４０４は、会員登録画面上でユーザによって会員登録に必要な情報が入力されて、会員登録の実行が指示されたか否かを判断する。ステップＳ２０で否定判断した場合には、処理を終了する。これに対して、ステップＳ２０で肯定判断した場合には、ステップＳ３０へ進む。
【００５０】
ステップＳ３０では、制御装置４０４は、ユーザによって会員登録画面上で入力された会員登録情報を自転車管理装置３００へ送信する。その後、ステップＳ４０へ進む。
【００５１】
ステップＳ４０では、制御装置４０４は、自転車管理装置３００からユーザに対して新規に発行された会員ＩＤを受信したか否かを判断する。ステップＳ４０で肯定判断した場合には、ステップＳ５０へ進む。
【００５２】
ステップＳ５０では、制御装置４０４は、自転車管理装置３００から受信した会員ＩＤをタッチパネル４０１に表示して、ユーザに通知する。その後、処理を終了する。
【００５３】
図７は、第１の実施の形態におけるユーザ端末４００で実行される利用申請処理の流れを示すフローチャート図である。図７に示す処理は、上述したようにユーザによって駐輪場の利用申請を行うためのサイトへのアクセスが指示されることにより、利用申請の開始が指示されると起動するプログラムとして、制御装置４０４によって実行される。
【００５４】
ステップＳ１１０において、制御装置４０４は、タッチパネル４０１上に不図示の利用申請画面を表示する。その後、ステップＳ１２０へ進む。
【００５５】
ステップＳ１２０では、制御装置４０４は、利用申請画面上でユーザによって駐輪場の利用申請に必要な情報が入力されて、利用申請の実行が指示されたか否かを判断する。ステップＳ１２０で否定判断した場合には、処理を終了する。これに対して、ステップＳ１２０で肯定判断した場合には、ステップＳ１３０へ進む。
【００５６】
ステップＳ１３０では、制御装置４０４は、ユーザによって利用申請画面上で入力された利用申請情報を自転車管理装置３００へ送信する。その後、処理を終了する。
【００５７】
図８は、第１の実施の形態における自転車管理装置３００で実行される処理の流れを示すフローチャート図である。図８に示す処理は、自転車管理装置３００上で自転車管理システム１００を管理するためのプログラムの実行が指示されると起動するプログラムとして、制御装置３０３によって実行される。
【００５８】
ステップＳ２１０において、制御装置３０３は、ユーザ端末４００から上述した会員登録情報を受信したか否かを判断する。ステップＳ２１０で否定判断した場合には、後述するステップＳ２４０へ進む。これに対して、ステップＳ２１０で肯定判断した場合には、ステップＳ２２０へ進む。
【００５９】
ステップＳ２２０では、制御装置３０３は、会員を一意に識別するための会員ＩＤを発行し、該会員ＩＤとユーザ端末から受信した会員登録情報とを関連付けた会員情報を記録装置３０４に記録する。その後、ステップＳ２３０へ進む。
【００６０】
ステップＳ２３０では、制御装置３０３は、発行した会員ＩＤをユーザ端末４００へ送信する。その後、ステップＳ２４０へ進む。
【００６１】
ステップＳ２４０では、制御装置３０３は、ユーザ端末４００から上述した利用申請情報を受信したか否かを判断する。ステップＳ２４０で否定判断した場合には、後述するステップＳ２６０へ進む。これに対して、ステップＳ２４０で肯定判断した場合には、ステップＳ２５０へ進む。
【００６２】
ステップＳ２５０では、制御装置３０３は、駐輪場を利用する自転車を一意に特定するための利用ＩＤを発行し、該利用ＩＤと利用申請情報とを関連付けた利用情報を記録装置３０４に記録する。その後、ステップＳ２６０へ進む。
【００６３】
ステップＳ２６０では、制御装置３０３は、駐輪場端末２００から上述したログイン情報を受信したか否かを判断する。ステップＳ２６０で否定判断した場合には、後述するステップＳ３１０へ進む。これに対して、ステップＳ２６０で肯定判断した場合には、ステップＳ２７０へ進む。
【００６４】
ステップＳ２７０では、制御装置３０３は、上述したように、ログイン情報に含まれるログインＩＤとパスワードと、記録装置３０４に記録されているログインＩＤとパスワードとを用いた認証処理を行う。その後、ステップＳ２８０へ進む。
【００６５】
ステップＳ２８０では、制御装置３０３は、ステップＳ２７０での認証処理の結果が認証ＯＫであるか否かを判断する。ステップＳ２８０で否定判断した場合には、後述するステップＳ３１０へ進む。これに対して、ステップＳ２８０で肯定判断した場合には、ステップＳ２９０へ進む。
【００６６】
ステップＳ２９０では、制御装置３０３は、ログイン許可を示す信号を駐輪場端末２００へ送信する。その後、ステップＳ３００へ進む。
【００６７】
ステップＳ３００では、制御装置３０３は、ログインを許可した駐輪場端末２００が配置されている駐輪場を対象とした新規発行利用ＩＤがある場合には、その利用ＩＤと会員ＩＤとを関連付けた新規発行利用ＩＤ情報を駐輪場端末２００へ送信する。その後、ステップＳ３１０へ進む。
【００６８】
ステップＳ３１０では、制御装置３０３は、駐輪場端末２００から上述した駐輪情報を受信したか否かを判断する。ステップＳ３１０で否定判断した場合には、後述するステップＳ３５０へ進む。これに対して、ステップＳ３１０で肯定判断した場合には、ステップＳ３２０へ進む。
【００６９】
ステップＳ３２０では、制御装置３０３は、上述したように、記録装置３０４に記録されている利用情報に基づいて、駐輪場端末２００から受信した駐輪情報に含まれる利用ＩＤに関連付けて記録されている駐輪場ＩＤを特定することにより、該利用ＩＤにより特定される自転車の駐輪可能場所を特定する。そして、制御装置３０３は、特定した駐輪場ＩＤと、駐輪場端末２００から受信した駐輪情報に含まれる駐輪場ＩＤとが一致するか否かを判断することにより、利用ＩＤにより特定される自転車が利用申請に基づく駐輪可能な駐輪場に駐輪されているか否かを判定する。その後、ステップＳ３３０へ進む。
【００７０】
ステップＳ３３０では、制御装置３０３は、ステップＳ３２０の処理によって、自転車は駐輪可能な場所とは異なる場所に駐輪していると判定されたか否か、すなわち駐輪が不可であるか否かを判断する。ステップＳ３３０で否定判断した場合には、後述するステップＳ３５０へ進む。これに対して、ステップＳ３３０で肯定判断した場合には、ステップＳ３４０へ進む。
【００７１】
ステップＳ３４０では、制御装置３０３は、自転車が駐輪可能な場所とは異なる場所に駐輪されていることを通知するための警告情報を駐輪場端末２００へ送信する。その後、ステップＳ３５０へ進む。
【００７２】
ステップＳ３５０では、制御装置３０３は、自転車管理システム１００を管理するためのプログラムの終了条件を満たしたことにより、プログラムを終了するか否かを判断する。制御装置３０３は、例えば、自転車管理装置３００の操作者によってプログラムの終了が指示された場合や、自転車管理装置３００の電源がオフされたときに、プログラムの終了条件を満たしたと判断する。ステップＳ３５０で否定判断した場合には、ステップＳ２１０へ戻る。これに対して、ステップＳ３５０で肯定判断した場合には、処理を終了する。
【００７３】
図９は、第１の実施の形態における駐輪場端末２００で実行される処理の流れを示すフローチャート図である。図９に示す処理は、駐輪場端末２００上で駐輪場のスタッフによって自転車管理アプリケーションの実行が指示されると起動するプログラムとして、制御装置２０４によって実行される。
【００７４】
ステップＳ４１０において、制御装置２０４は、タッチパネル２０１上に、不図示のログイン画面を表示する。その後、ステップＳ４２０へ進む。
【００７５】
ステップＳ４２０では、制御装置２０４は、上述したように、駐輪場のスタッフによって、ログイン画面上で、あらかじめ発行されているログインＩＤとパスワードが入力されて、ログインの指示がされたか否かを判断する。ステップＳ４２０で否定判断した場合には、処理を終了する。これに対して、ステップＳ４２０で肯定判断した場合には、ステップＳ４３０へ進む。
【００７６】
ステップＳ４３０では、制御装置２０４は、入力されたログインＩＤとパスワードとを関連付けたログイン情報を自転車管理装置３００へ送信する。その後、ステップＳ４４０へ進む。
【００７７】
ステップＳ４４０では、制御装置２０４は、制御装置２０４は、自転車管理装置３００から上述したログイン許可を示す信号を受信したか否かを判断する。ステップＳ４４０で否定判断した場合には、処理を終了する。これに対して、ステップＳ４４０で肯定判断した場合には、ステップＳ４５０へ進む。
【００７８】
ステップＳ４５０では、制御装置２０４は、自転車管理装置３００から上述した新規発行利用ＩＤ情報を受信したか否かを判断する。ステップＳ４５０で否定判断した場合には、後述するステップＳ４８０へ進む。これに対して、ステップＳ４５０で肯定判断した場合には、ステップＳ４６０へ進む。
【００７９】
ステップＳ４６０では、制御装置２０４は、タッチパネル２０１上に、新規発行利用ＩＤ情報を受信したことを示すメッセージを表示してスタッフに通知する。その後、ステップＳ４７０へ進む。
【００８０】
ステップＳ４７０では、制御装置２０４は、自転車管理装置３００から受信した新規発行利用ＩＤ情報をフラッシュメモリに記録する。その後、ステップＳ４８０へ進む。
【００８１】
ステップＳ４８０では、制御装置２０４は、駐輪場のスタッフによって、未発行の自転車管理シールＥのＩＣチップＣへの新規発行利用ＩＤ情報に含まれる利用ＩＤの書き込みが指示されたか否かを判断する。ステップＳ４８０で否定判断した場合には、後述するステップＳ５００へ進む。これに対して、ステップＳ４８０で肯定判断した場合には、ステップＳ４９０へ進む。
【００８２】
ステップＳ４９０では、制御装置２０４は、ＩＣリーダ・ライタ２０２を介して、フラッシュメモリに記録された新規発行利用ＩＤ情報に含まれる利用ＩＤを未発行の自転車管理シールＥのＩＣチップＣに書き込む。その後、ステップＳ５００へ進む。
【００８３】
ステップＳ５００では、制御装置２０４は、ＩＣリーダ・ライタ２０２を介して自転車管理シールＥ内のＩＣチップＣから利用ＩＤを読み取ったか否かを判断する。ステップＳ５００で否定判断した場合には、後述するステップＳ５４０へ進む。これに対して、ステップＳ５００で肯定判断した場合には、ステップＳ５１０へ進む。
【００８４】
ステップＳ５１０では、制御装置２０４は、読み取った利用ＩＤと、駐輪場端末２００が配置されている駐輪場の駐輪場ＩＤを関連付けた駐輪情報を自転車管理装置３００へ送信する。その後、ステップＳ５２０へ進む。
【００８５】
ステップＳ５２０では、制御装置２０４は、自転車管理装置３００から上述した警告情報を受信したか否かを判断する。ステップＳ５２０で否定判断した場合には、後述するステップＳ５４０へ進む。これに対して、ステップＳ５２０で肯定判断した場合には、ステップＳ５３０へ進む。
【００８６】
ステップＳ５３０では、制御装置２０４は、自転車管理装置３００から受信した警告情報を表示した警告画面をタッチパネル２０１に表示する。その後、ステップＳ５４０へ進む。
【００８７】
ステップＳ５４０では、制御装置２０４は、駐輪場のスタッフによって自転車管理アプリケーションの終了が指示されたか否かを判断する。ステップＳ５４０で否定判断した場合には、ステップＳ４５０へ戻る。これに対して、ステップＳ５４０で肯定判断した場合には、処理を終了する。
【００８８】
以上説明した第１の実施の形態によれば、以下のような作用効果を得ることができる。
（１）駐輪場端末２００の制御装置２０４は、ＩＣリーダ・ライタ２０２を介して自転車識別媒体である自転車管理シールＥから自転車識別情報である利用ＩＤを読み取り、読み取った利用ＩＤと、駐輪場端末２００の配置場所を特定するための駐輪場ＩＤとを関連付けた駐輪情報を自転車管理装置３００へ送信するようにした。自転車管理装置３００では、制御装置３０３は、駐輪場端末２００から受信した駐輪情報に含まれる利用ＩＤに基づいて、自転車の駐輪可能場所を特定するとともに、駐輪情報に含まれる駐輪場ＩＤに基づいて駐輪場端末２００の配置場所を特定し、特定した駐輪可能場所と配置場所とが一致する場合には、自転車は駐輪可能な場所に駐輪していると判定し、駐輪可能場所と配置場所とが一致しない場合には、自転車は駐輪可能な場所とは異なる場所に駐輪していると判定するようにした。これによって、自転車が利用申請が行われた駐輪可能な駐輪場に駐輪しているか、あるいは利用申請が行われていない駐輪不可能な駐輪場に駐輪しているかを容易に判断することができる。
【００８９】
（２）自転車管理装置３００では、記録装置３０４に、利用ＩＤと利用申請情報とを関連付けた利用情報が記録されており、制御装置３０３は、記録装置３０４に記録されている利用情報に基づいて、駐輪場端末２００から受信した駐輪情報に含まれる利用ＩＤに関連付けて記録されている駐輪場ＩＤを特定することにより、該利用ＩＤにより特定される自転車の駐輪可能場所を特定するようにした。これによって、ユーザが所有する自転車の駐輪可能場所を特定することができる。
【００９０】
（３）自転車管理装置３００では、制御装置３０３は、自転車が駐輪可能な場所とは異なる場所に駐輪していると判定された場合には、自転車が駐輪可能な場所とは異なる場所に駐輪していることを通知するための情報を駐輪場端末２００へ送信するようにした。これによって、駐輪場のスタッフは、利用申請が行われていない自転車が無断で駐輪されていることを把握することができる。
【００９１】
（４）自転車管理装置３００では、制御装置３０３は、自転車を所有するユーザから駐輪場の利用申請を受け付け、利用申請を受け付けたユーザが所有する自転車に対して、自転車識別情報である利用ＩＤを割り当て、利用申請時にユーザによって指定された駐輪場所に配置されている駐輪場端末２００へ利用ＩＤを送信するようにした。これによって、ユーザが利用申請を行った駐輪場の駐輪場端末２００に、新規に発行した利用ＩＤを送信することができる。
【００９２】
（５）駐輪場端末２００の制御装置２０４は、自転車管理装置３００から新規発行利用ＩＤ情報を受信してフラッシュメモリに記録し、ＩＣリーダ・ライタ２０２を介して、フラッシュメモリに記録された新規発行利用ＩＤ情報に含まれる利用ＩＤを未発行の自転車管理シールＥのＩＣチップＣに書き込むようにした。これによって、駐輪場のスタッフは、簡易な操作で新規に発行された利用ＩＤを未発行の自転車管理シールＥのＩＣチップＣに書き込むことができる。
【００９３】
（６）自転車識別媒体である自転車管理シールＥは、接着シートＡと、防磁シートＢと、ＩＣチップＣと、カバー部材Ｄとが積層されて薄板状に構成され、接着シートＡにより自転車に貼付されるようにした。このように、自転車管理シールＥを自転車に貼り付けるようにしたので、自転車識別媒体である自転車管理シールＥの盗難を防止することができる。また、ＩＣチップＣを防磁シートＢとカバー部材Ｄとで挟むように構成したため、ＩＣチップＣが金属等による影響を受けて磁気障害を起こすことを防ぐことができる。
【００９４】
―第２の実施の形態―
上述した第１の実施の形態では、自転車管理装置３００では、ユーザ端末４００から利用申請情報を受信したときに利用ＩＤを発行し、該利用ＩＤを、駐輪場を利用する自転車を一意に特定するための情報として用いるようにし、新規に発行した利用ＩＤを、駐輪場端末２００を介して自転車管理シールＥのＩＣチップＣに書き込む例について説明した。第２の実施の形態では、自転車管理装置３００で新規に利用ＩＤを発行することなく、ＩＣチップＣにあらかじめ記録されている、ＩＣチップＣを一意に特定するためのユニークＩＤを利用ＩＤとして用いる例について説明する。
【００９５】
ＩＣチップＣには、個体識別を目的としたユニークＩＤが製造段階で付されてＩＣチップＣ内に記録されており、第２の実施の形態では、このユニークＩＤを利用ＩＤとして用いる。
【００９６】
また、上述した第１の実施の形態では、駐輪場端末２００の制御装置２０４は、自転車管理シールＥ内のＩＣチップＣからＩＣリーダ・ライタ２０２を介して利用ＩＤを読み取った場合には、読み取った利用ＩＤに、あらかじめフラッシュメモリに記録されている、駐輪場端末２００が配置されている駐輪場の駐輪場ＩＤを関連付けた駐輪情報を自転車管理装置３００へ送信するようにした。そして、自転車管理装置３００では、制御装置３０３は、記録装置３０４に記録されている利用情報に基づいて、駐輪場端末２００から受信した駐輪情報に含まれる利用ＩＤに関連付けて記録されている駐輪場ＩＤを特定して、特定した駐輪場ＩＤと、駐輪場端末２００から受信した駐輪情報に含まれる駐輪場ＩＤとが一致するか否かを判断することにより、利用ＩＤにより特定される自転車が利用申請に基づく駐輪可能な駐輪場に駐輪されているか否かを判定する例について説明した。
【００９７】
しかしながら、第２の実施の形態では、自転車管理装置３００の制御装置３０３は、第１の実施の形態で上述したログインＩＤとパスワードを用いたログイン処理において、駐輪場端末２００のログインを許可した場合に、ログインを許可した駐輪場端末２００の駐輪場ＩＤを特定しておく。そして、制御装置３０３は、駐輪場端末２００から利用ＩＤを受信した場合に、利用情報に基づいて、駐輪場端末２００から受信した駐輪情報に含まれる利用ＩＤに関連付けて記録されている駐輪場ＩＤを特定して、特定した駐輪場ＩＤと、ログイン許可時に特定しておいた駐輪場ＩＤとが一致するか否かを判断することにより、利用ＩＤにより特定される自転車が利用申請に基づく駐輪可能な駐輪場に駐輪されているか否かを判定する方法について説明する。
【００９８】
以下、第２の実施の形態における処理について、第１の実施の形態で上述した処理との相違点を中心に説明する。なお、第１の実施の形態で上述した図１〜図６の各図については、第１の実施の形態と同様のため説明を省略する。
【００９９】
自転車管理システム１００の利用を希望するユーザは、第１の実施の形態と同様に、ユーザ端末４００を操作して会員登録、および駐輪場の利用申請を行う。これにより、ユーザ端末４００から自転車管理装置３００へ上述した利用申請情報が送信される。
【０１００】
第２の実施の形態では、自転車管理装置３００の制御装置３０３は、ユーザ端末４００から利用申請情報を受信した場合には、ワンタイムパスワードを発行し、ワンタイムパスワードと利用申請情報とを関連付けた仮申請情報を記録装置３０４に記録するとともに、ワンタイムパスワードをユーザ端末４００へ送信する。
【０１０１】
ユーザ端末４００では、制御装置４０４は、自転車管理装置３００からワンタイムパスワードを受信すると、受信したワンタイムパスワードをタッチパネル４０１上に表示して、駐輪場の利用申請を行ったユーザに通知する。その後、ユーザは、上述した自転車管理シールＥを受け取るために、利用申請を行った駐輪場を訪れる。
【０１０２】
ユーザは、駐輪場において、自転車管理装置３００から通知されたワンタイムパスワードを提示して認証を受けことにより、自転車管理シールＥの配布を受けることができる。このために、駐輪場のスタッフは、駐輪場端末２００のタッチパネル２０１を操作して、ユーザから提示されたワンタイムパスワードを入力する。あるいは、ユーザが駐輪場端末２００のタッチパネル２０１を操作してワンタイムパスワードを入力してもよい。制御装置２０４は、ワンタイムパスワードが入力されると、入力されたワンタイムパスワードを自転車管理装置３００へ送信して、ユーザの認証を要求する。
【０１０３】
自転車管理装置３００では、制御装置３０３は、駐輪場端末２００からワンタイムパスワードを受信すると、記録装置３０４に記録されている仮申請情報の中に、仮申請情報に含まれるワンタイムパスワードが駐輪場端末２００から受信したワンタイムパスワードと一致する情報があるか否かを判定する。制御装置３０３は、記録装置３０４に記録されている仮申請情報の中に、仮申請情報に含まれるワンタイムパスワードが駐輪場端末２００から受信したワンタイムパスワードと一致する情報があると判定した場合には、ワンタイムパスワードが一致した仮申請情報に含まれる利用申請情報を駐輪場端末２００へ送信する。
【０１０４】
駐輪場端末２００では、制御装置２０４は、自転車管理装置３００から受信した利用申請情報をタッチパネル２０１に表示する。駐輪場のスタッフは、タッチパネル２０１に表示された利用申請情報に間違いがないかユーザに確認する。駐輪場のスタッフは、利用申請情報に間違いがないことを確認した場合には、駐輪場端末２００のモードをＩＣチップＣからユニークＩＤを読み取るための読み取りモードに設定した後に、駐輪場で用意されている発行前の自転車管理シールＥに駐輪場端末２００を近づけることにより、ＩＣチップＣからのユニークＩＤの読み取りを指示する。なお、駐輪場端末２００のモードをＩＣチップＣからユニークＩＤを読み取るための読み取りモードに設定するための方法は特に限定されないが、例えば、タッチパネル２０１上にモード設定のためのボタンを表示し、駐輪場のスタッフは、該ボタンにタッチすることにより、読み取りモードの設定を指示できるようにすればよい。
【０１０５】
読み取りモードに設定された後は、自転車管理シールＥのＩＣチップＣが、ＩＣリーダ・ライタ２０２の通信範囲内に入ったタイミングで、ＩＣリーダ・ライタ２０２によってＩＣチップＣからユニークＩＤが読み取られる。これにより、制御装置２０４は、ＩＣリーダ・ライタ２０２を介して、ＩＣチップＣからユニークＩＤを読み取ることができる。そして、制御装置２０４は、読み取ったユニークＩＤと、利用申請情報に含まれる会員ＩＤとを関連付けた登録依頼情報を自転車管理装置３００へ送信する。
【０１０６】
自転車管理装置３００では、制御装置３０３は、駐輪場端末２００から登録依頼情報を受信した場合には、記録装置３０４に記録されている仮申請情報の中から、利用申請情報に含まれる会員ＩＤが、駐輪場端末２００から受信した登録依頼情報に含まれる会員ＩＤと一致する仮申請情報を特定し、該仮申請情報に含まれる利用申請情報を抽出する。また、制御装置３０３は、駐輪場端末２００から受信した登録依頼情報に含まれるユニークＩＤを、駐輪場を利用する自転車を一意に特定するための利用ＩＤとして特定し、特定した利用ＩＤと、抽出した利用申請情報とを関連付けた利用情報を記録装置３０４に記録する。
【０１０７】
これによって、自転車管理装置３００上でユーザの利用情報が登録され、第１の実施の形態と同様に、ユーザは、自転車管理シールＥを貼った自転車を、利用申請を行った駐輪場に駐輪することが可能となる。
【０１０８】
駐輪場のスタッフは、駐輪場端末２００上で自転車管理アプリケーションを起動し、第１の実施の形態と同様に、自転車管理アプリケーションのログイン画面上で、あらかじめ発行されているログインＩＤとパスワードを入力することにより、自転車管理システム１００にログインする。駐輪場端末２００の制御装置２０４は、入力されたログインＩＤとパスワードとを関連付けたログイン情報を自転車管理装置３００へ送信する。
【０１０９】
本実施の形態では、自転車管理装置３００の記録装置３０４には、各駐輪場に配置されている駐輪場端末２００ごとに発行したログインＩＤと、パスワードと、駐輪場端末２００の配置場所を特定するための駐輪場ＩＤとが関連付けて記録されている。自転車管理装置３００では、制御装置３０３は、第１の実施の形態と同様に、駐輪場端末２００から受信したログイン情報に含まれるログインＩＤとパスワードと、記録装置３０４に記録されているログインＩＤとパスワードとを用いた認証を行い、認証ＯＫの場合は、駐輪場端末２００のログインを許可する。制御装置３０３は、ログインを許可した場合には、ログイン許可を示す信号を駐輪場端末２００へ送信するとともに、認証に用いたログインＩＤに関連付けられている駐車場ＩＤを特定してメモリに記録する。これによって、以降の処理において、アクセス中の駐輪場端末２００の駐車場ＩＤをメモリから読み出して使用することができる。
【０１１０】
駐輪場のスタッフは、第１の実施の形態と同様に、定期的に駐輪場内を回って、駐輪場端末２００で駐輪中の自転車に貼られた自転車管理シールＥ内の情報を読み取る。このとき、第２の実施の形態では、駐輪場端末２００の制御装置２０４は、自転車管理シールＥ内のＩＣチップＣからＩＣリーダ・ライタ２０２を介して読み取った利用ＩＤを自転車管理装置３００へ送信する。
【０１１１】
自転車管理装置３００では、制御装置３０３は、記録装置３０４に記録されている利用情報に基づいて、駐輪場端末２００から受信した利用ＩＤに関連付けて記録されている駐輪場ＩＤを特定することにより、該利用ＩＤにより特定される自転車の駐輪可能場所を特定する。そして、制御装置３０３は、特定した駐輪場ＩＤと、ログイン許可時に特定しておいた駐輪場ＩＤとが一致するか否かを判断することにより、利用ＩＤにより特定される自転車が利用申請に基づく駐輪可能な駐輪場に駐輪されているか否かを判定する。このときの判断方法は、第１の実施の形態と同様に、両駐輪場ＩＤが一致する場合には、自転車は駐輪可能な場所に駐輪していると判定し、両駐輪場ＩＤが一致しない場合には、自転車は駐輪可能な場所とは異なる場所に駐輪していると判定する。
【０１１２】
図１０は、第２の実施の形態におけるユーザ端末４００で実行される利用申請処理の流れを示すフローチャート図である。図１０に示す処理は、第１の実施の形態で上述した図７に示す処理と同様に、ユーザによって駐輪場の利用申請を行うためのサイトへのアクセスが指示されることにより、利用申請の開始が指示されると起動するプログラムとして、制御装置４０４によって実行される。なお、図１０においては、図７に示した第１の実施の形態における利用申請処理と同一の処理については、同じステップ番号を付与して説明を省略し、ここでは、図７との相違点について説明する。
【０１１３】
ステップＳ１４０において、制御装置４０４は、自転車管理装置３００からワンタイムパスワードを受信したか否かを判断する。ステップＳ１４０で肯定判断した場合には、ステップＳ１５０へ進む。
【０１１４】
ステップＳ１５０では、制御装置４０４は、受信したワンタイムパスワードをタッチパネル４０１上に表示する。その後、処理を終了する。
【０１１５】
図１１は、第２の実施の形態における自転車管理装置３００で実行される処理の流れを示すフローチャート図である。図１１に示す処理は、第１の実施の形態で上述した図８に示す処理と同様に、自転車管理装置３００上で自転車管理システム１００を管理するためのプログラムの実行が指示されると起動するプログラムとして、制御装置３０３によって実行される。なお、図１１においては、図８に示した第１の実施の形態における処理と同一の処理については、同じステップ番号を付与して説明を省略し、ここでは、図８との相違点について説明する。
【０１１６】
ステップＳ２４０で肯定判断した場合には、ステップＳ２５１へ進み、制御装置３０３は、ワンタイムパスワードを発行して、ワンタイムパスワードと利用申請情報とを関連付けた仮申請情報を記録装置３０４に記録する。その後、ステップＳ２５２へ進む。
【０１１７】
ステップＳ２５２では、制御装置３０３は、ステップＳ２５１で発行したワンタイムパスワードをユーザ端末４００へ送信する。その後、ステップＳ２６０へ進む。
【０１１８】
ステップＳ２６０、ステップＳ２８０で否定判断した場合は、ステップＳ３０１へ進む。また、ステップＳ２９０の処理が終了すると、ステップＳ２９１へ進み、制御装置３０３は、ステップＳ２７０での認証に用いたログインＩＤに関連付けられている駐車場ＩＤを特定する。その後、ステップＳ３０１へ進む。
【０１１９】
ステップＳ３０１では、制御装置３０３は、駐輪場端末２００からワンタイムパスワードを受信したか否かを判断する。ステップＳ３０１で否定判断した場合には、後述するステップＳ３１１へ進む。これに対して、ステップＳ３０１で肯定判断した場合には、ステップＳ３０２へ進む。
【０１２０】
ステップＳ３０２では、制御装置３０３は、上述したように、記録装置３０４に記録されている仮申請情報の中に、仮申請情報に含まれるワンタイムパスワードが駐輪場端末２００から受信したワンタイムパスワードと一致する情報があるか否かを判断する。ステップＳ３０２で否定判断した場合には、後述するステップＳ３１１へ進む。これに対して、ステップＳ３０２で肯定判断した場合には、ステップＳ３０３へ進む。
【０１２１】
ステップＳ３０３では、制御装置３０３は、ワンタイムパスワードが一致した仮申請情報に含まれる利用申請情報を駐輪場端末２００へ送信する。その後、ステップＳ３０４へ進む。
【０１２２】
ステップＳ３０４では、制御装置３０３は、駐輪場端末２００から上述した登録依頼情報を受信したか否かを判断する。ステップＳ３０４で肯定判断した場合には、ステップＳ３０５へ進む。
【０１２３】
ステップＳ３０５では、制御装置３０３は、記録装置３０４に記録されている仮申請情報の中から、利用申請情報に含まれる会員ＩＤが、駐輪場端末２００から受信した登録依頼情報に含まれる会員ＩＤと一致する仮申請情報を特定し、該仮申請情報に含まれる利用申請情報を抽出する。また、制御装置３０３は、駐輪場端末２００から受信した登録依頼情報に含まれるユニークＩＤを、駐輪場を利用する自転車を一意に特定するための利用ＩＤとして特定し、特定した利用ＩＤと、抽出した利用申請情報とを関連付けて利用情報とし、この利用情報を記録装置３０４に記録する。その後、ステップＳ３１１へ進む。
【０１２４】
ステップＳ３１１では、制御装置３０３は、駐輪場端末２００から利用ＩＤを受信したか否かを判断する。ステップＳ３１１で否定判断した場合には、後述するステップＳ３５０へ進む。これに対して、ステップＳ３１１で肯定判断した場合には、ステップＳ３２１へ進む。
【０１２５】
ステップＳ３２１では、制御装置３０３は、上述したように、記録装置３０４に記録されている利用情報に基づいて、駐輪場端末２００から受信した利用ＩＤに関連付けて記録されている駐輪場ＩＤを特定することにより、該利用ＩＤにより特定される自転車の駐輪可能場所を特定する。そして、制御装置３０３は、特定した駐輪場ＩＤと、ステップＳ２９１で特定した駐輪場ＩＤとが一致するか否かを判断することにより、利用ＩＤにより特定される自転車が利用申請に基づく駐輪可能な駐輪場に駐輪されているか否かを判定する。その後、ステップＳ３３０へ進む。
【０１２６】
図１２は、第２の実施の形態における駐輪場端末２００で実行される処理の流れを示すフローチャート図である。図１２に示す処理は、第１の実施の形態で上述した図９に示す処理と同様に、駐輪場端末２００上で駐輪場のスタッフによって自転車管理アプリケーションの実行が指示されると起動するプログラムとして、制御装置２０４によって実行される。なお、図１２においては、図９に示した第１の実施の形態における処理と同一の処理については、同じステップ番号を付与して説明を省略し、ここでは、図９との相違点について説明する。
【０１２７】
ステップＳ４４０で肯定判断した場合には、ステップＳ４５１へ進み、制御装置２０４は、タッチパネル２０１上でワンタイムパスワードが入力されたか否かを判断する。ステップＳ４５１で否定判断した場合には、後述するステップＳ４８１へ進む。これに対して、ステップＳ４５１で肯定判断した場合には、ステップＳ４６１へ進む。
【０１２８】
ステップＳ４６１では、入力されたワンタイムパスワードを自転車管理装置３００へ送信する。その後、ステップＳ４７１へ進む。
【０１２９】
ステップＳ４７１では、制御装置２０４は、自転車管理装置３００から利用申請情報を受信したか否かを判断する。ステップＳ４７１で肯定判断した場合には、ステップＳ４７２へ進む。
【０１３０】
ステップＳ４７２では、制御装置２０４は、自転車管理装置３００から受信した利用申請情報をタッチパネル２０１に表示する。その後、ステップＳ４８１へ進む。
【０１３１】
ステップＳ４８１では、制御装置２０４は、上述したように、駐輪場のスタッフによって、ＩＣチップＣからユニークＩＤを読み取るように指示されたか否かを判断する。ステップＳ４８１で否定判断した場合には、ステップＳ５００へ進む。これに対して、ステップＳ４８１で肯定判断した場合には、ステップＳ４９１へ進む。
【０１３２】
ステップＳ４９１では、制御装置２０４は、ＩＣリーダ・ライタ２０２を介して、ＩＣチップＣからユニークＩＤを読み取る。その後、ステップＳ４９２へ進む。
【０１３３】
ステップＳ４９２では、制御装置２０４は、ステップＳ４９１で読み取ったユニークＩＤと、利用申請情報に含まれる会員ＩＤとを関連付けた登録依頼情報を自転車管理装置３００へ送信する。その後、ステップＳ５００へ進む。
【０１３４】
ステップＳ５１１では、制御装置２０４は、読み取った利用ＩＤを自転車管理装置３００へ送信する。その後、ステップＳ５２０へ進む。
【０１３５】
以上説明した第２の実施の形態によれば、第１の実施の形態における作用効果に加えて、以下のような作用効果を得ることができる。
（１）駐輪場端末２００では、制御装置２０４は、新規に発行する自転車管理シールＥのＩＣチップＣから、ＩＣチップＣの個体識別に用いられるユニークＩＤを読み取って、自転車管理装置３００へ送信するようにした。自転車管理装置３００では、制御装置３０３は、駐輪場端末２００から受信したユニークＩＤを利用ＩＤとして特定するようにした。これによって、ＩＣチップＣの製造段階で付された個体識別のユニークＩＤを用いて自転車を一意に特定することができるため、新たに利用ＩＤを発行するための処理を行わずに、ユニークＩＤという既存の情報を有効活用することができる。また、第２の実施の形態のように、ＩＣチップＣからユニークＩＤを読み出して利用ＩＤとすれば、ＩＣチップＣに情報を書き込む必要がない。このため、自転車管理シールＥのＩＣチップＣに記録された情報は読み出し専用にすることができるため、ＩＣチップＣ内の情報の改ざんを防いで、セキュリティの向上を図ることができる。
【０１３６】
（２）自転車管理装置３００の制御装置３０３は、ログインＩＤとパスワードを用いたログイン処理において、駐輪場端末２００のログインを許可した場合に、ログインを許可した駐輪場端末２００の駐輪場ＩＤを特定しておく。そして、制御装置３０３は、駐輪場端末２００から利用ＩＤを受信した場合に、利用情報に基づいて、駐輪場端末２００から受信した駐輪情報に含まれる利用ＩＤに関連付けて記録されている駐輪場ＩＤを特定して、特定した駐輪場ＩＤと、ログイン許可時に特定しておいた駐輪場ＩＤとが一致するか否かを判断することにより、利用ＩＤにより特定される自転車が利用申請に基づく駐輪可能な駐輪場に駐輪されているか否かを判定するようにした。これによって、駐輪場端末２００で利用ＩＤが読み取られたときに、毎回、駐輪場ＩＤを送信する必要がないため、駐輪場端末２００から自転車管理装置３００へ送信するデータ量を減らすことができる。
【０１３７】
―変形例―
なお、上述した実施の形態の自転車管理システム１００は、以下のように変形することもできる。
（１）上述した第１および第２の実施の形態における自転車管理システム１００では、駐輪場の利用申請がされた各自転車に対して自転車識別情報である利用ＩＤを割り当てることにより、個々の自転車を特定して管理することが可能となる。この技術は、自転車の管理だけでなく、自動車やバイクの管理にも応用することが可能である。例えば、自動車やバイクを所有するユーザは、あらかじめ駐車場の利用申請を行って管理シールの発行を受け、これを自転車やバイクに貼付することにより、駐車場を利用できるようにすればよい。なお、上述した第１および第２の実施の形態では、自転車管理シールＥは、ＩＣチップＣを防磁シートＢとカバー部材Ｄとで挟むような構成としたが、管理シールを自動車の窓ガラスに内側から貼付する場合等、ＩＣチップＣが金属等による影響を受けて磁気障害を起こす可能性が低い場所に貼付されることが想定される場合には、防磁シートＢは備えなくてもよい。
【０１３８】
（２）上述した第１および第２の実施の形態では、自転車管理装置３００の制御装置３０３は、自転車が駐輪可能な場所とは異なる場所に駐輪していると判定した場合には、自転車が駐輪可能な場所とは異なる場所に駐輪されていることを通知するための警告情報を駐輪場端末２００へ送信する例について説明した。しかしながら、自転車管理装置３００の制御装置３０３は、自転車が駐輪可能な場所とは異なる場所に駐輪していると判定した場合には、自転車が駐輪可能な場所とは異なる場所に駐輪されていることを通知するための警告情報を自転車の所有者であるユーザのユーザ端末４００へ送信するようにしてもよい。また、自転車管理装置３００の制御装置３０３は、上記の警告情報を駐輪場端末２００とユーザ端末４００の両方に送信するようにしてもよい。これによって、契約外の駐輪場に駐車していることをユーザに直接警告することができる。
【０１３９】
また、利用情報には、駐輪可能場所への駐輪可能期限、すなわち駐輪場の契約期間を特定するための情報を含めておき、自転車管理装置３００の制御装置３０３は、記録装置に記録されている利用情報を定期的にチェックして、各利用ＩＤごとに駐輪可能期限を特定し、特定した駐輪可能期限まで所定日数未満である場合に、その利用ＩＤごとにあらかじめ登録された通知先に通知するようにしてもよい。例えば、通知先として自転車の所有者のメールアドレスを登録しておけば、ユーザは、駐輪場の契約期間満了が近付いたことの通知を受けて、契約更新の時期を把握することができる。
【０１４０】
（３）上述した第１および第２の実施の形態における自転車管理システム１００では、利用情報に自転車に関する種々の情報を含めるようにしてもよい。例えば、自転車管理システム１００の運営会社や駐輪場の管理会社が、保険会社と提携して、ユーザに自転車の利用に関する個人賠償責任保険への加入を促すことができるようにし、制御装置３０３は、個人賠償責任保険に加入したユーザの利用情報に該個人賠償責任保険の証券番号等を含めて記録するようにしてもよい。これによって、ユーザが加入した自転車に関する保険の情報を自転車管理システム１００内で共有することが可能となる。また、制御装置３０３は、ユーザの利用情報に、自転車の整備履歴を記録するようにしてもよい。これによって、ユーザごとの自転車の整備記録を自転車管理システム１００内で共有することが可能となる。
【０１４１】
（４）上述した第１および第２の実施の形態における自転車管理システム１００では、自転車を所持するユーザに警察や消防などによる緊急対応が必要になったときに、緊急対応を行う警察や消防へユーザの情報を提供するようにしてもよい。例えば、以下のように処理を行えばよい。
【０１４２】
警察や消防などの緊急対応を行う機関や人物に対して、緊急対応用のＩＤとパスワードを付与しておく。緊急対応を行う者は、あらかじめ専用のアプリケーションをインストールした緊急対応用端末上で、緊急対応用のＩＤとパスワードを用いて自転車管理システム１００にログインする。その後、該緊急対応用端末を操作して緊急対応が必要なユーザの自転車に貼られた自転車管理シールＥ内の利用ＩＤを読み取る。読み取られた利用ＩＤは自転車管理装置３００へ送信され、自転車管理装置３００では、制御装置３０３は、受信した利用ＩＤに基づいて会員ＩＤを特定し、特定した会員ＩＤに対応する会員情報から、あらかじめ設定された緊急対応時の送信情報、例えば、氏名、住所、電話番号等を読み出して、緊急対応用端末へ送信する。これによって、緊急対応を行う機関や人物は、緊急対応が必要なユーザの情報を取得することができる。
【０１４３】
（５）上述した第２の実施の形態では、自転車管理装置３００の制御装置３０３は、ユーザ端末４００から利用申請情報を受信したときに、ワンタイムパスワードを発行する例について説明した。しかしながら、ユーザ端末４００から利用申請情報を受信した後、ユーザによる駐輪場利用のための料金の支払い完了が確認できたタイミングで、ワンタイムパスワードを発行するようにしてもよい。例えば、外部の料金徴収サービスを利用して、ユーザから駐輪場利用のための料金を徴収する場合には、制御装置３０３は、外部の料金徴収サービスを管理するサーバから、ユーザによる料金の支払い完了通知を受信したタイミングでワンタイムパスワードを発行すればよい。これによって、料金を支払ったユーザに対してのみワンタイムパスワードを発行して、自転車管理シールＥの発行を許可することができる。
【０１４４】
また、駐輪場の契約期間の延長を希望するユーザから、ユーザ端末４００を介して契約更新の申請を受けることができるようにし、この場合も、制御装置３０３は、ユーザから更新の申請を受けた後、外部の料金徴収サービスを管理するサーバから、ユーザによる更新のための料金の支払い完了通知を受信したタイミングで、一定期間、駐輪場の契約期間を延長するように、利用情報を更新するようにしてもよい。
【０１４５】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【０１４６】
１００  自転車管理システム
２００  駐輪場端末
２０１  タッチパネル
２０２  ＩＣリーダ・ライタ
２０３  通信モジュール
２０４  制御装置
３００  自転車管理装置
３０１  操作部材
３０２  接続ＩＦ
３０３  制御装置
３０４  記録装置
４００  ユーザ端末
４０１  タッチパネル
４０２  通信モジュール
４０３  マイク
４０４  制御装置
４０５  スピーカー
【図１】
2015018546.tif 000003
【図２】
2015018546.tif 000004
【図３】
2015018546.tif 000005
【図４】
2015018546.tif 000006
【図５】
2015018546.tif 000007
【図６】
2015018546.tif 000008
【図７】
2015018546.tif 000009
【図８】
2015018546.tif 000010
【図９】
2015018546.tif 000011
【図１０】
2015018546.tif 000012
【図１１】
2015018546.tif 000013
【図１２】
2015018546.tif 000014